(57)【要約】【課題】紙葉類のくせや姿勢等によらず、紙葉類を一つの側壁部に整列した状態で集積させる手段を持つ紙葉類集積装置を提供する。【解決手段】紙葉類を集積して収納する収納箱と、該収納箱に紙葉類を搬送する搬送路と、該搬送路により搬送された紙葉類を前記収納箱に放出する放出口とを備えた紙葉類集積装置において、前記放出口を所定の角度で傾斜させたことを特徴とする。【選択図】        図１
2005112481.tif 000002
【特許請求の範囲】
【請求項１】
紙葉類を集積して収納する収納箱と、該収納箱に紙葉類を搬送する搬送路と、該搬送路により搬送された紙葉類を前記収納箱に放出する放出口とを備えた紙葉類集積装置において、
前記放出口を所定の角度で傾斜させたことを特徴とする紙葉類集積装置。
【請求項２】
紙葉類を集積して収納する収納箱と、該収納箱に紙葉類を搬送する搬送路と、該搬送路により搬送された紙葉類を前記収納箱に放出する放出口とを備えた紙葉類集積装置において、
前記放出口を所定の角度で左右両方に傾斜を切替え可能にしたことを特徴とする紙葉類集積装置。
【請求項３】
請求項２において、
紙葉類鑑別装置を設け、該紙葉類鑑別装置の鑑別結果に基づく紙葉類の厚さ分布に応じて、前記放出部を傾斜させる方向を選定することを特徴とする紙葉類集積装置。
【請求項４】
請求項２または請求項３において、
前記放出口を、前記搬送路とは分割して設けたことを特徴とする紙葉類集積装置。
【請求項５】
請求項２または請求項３において、
前記搬送路を、一対の搬送ガイドを設け、前記搬送路の前記放出口に至る搬送ガイドを弾性部材により形成したことを特徴とする紙葉類集積装置。
【発明の詳細な説明】
【技術分野】
【０００１】
本発明は、紙幣や伝票等の紙葉類を搬送して収納箱に集積する紙葉類集積装置に関する。
【背景技術】
【０００２】
従来の紙葉類集積装置では、紙葉類は放出口から水平に収納箱に放出され、該収納箱の側壁面に設けられた傾斜部を滑り落ちることによってステージ上に集積される（例えば、特許文献１参照。）。
【特許文献１】特開平７−１４２９７号公報（第４頁左欄５行目−第４頁右欄１９行目）
【発明の開示】
【発明が解決しようとする課題】
【０００３】
しかしながら、上述した従来の技術においては、紙葉類の放出時のくせや姿勢等によって、紙葉類が右に寄ったり左に寄ったりして同一の側壁部に整列できず、乱雑な状態で集積してしまうという問題がある。
また、近年、紙幣においては、偽券対策として凹版印刷やセキュリティスレッド等の技術が導入され、紙幣の厚さ分布が不均一になってきており、このような紙幣を集積する際、集積された紙幣の厚さ分布により上面が傾いてしまい、繰出し不良等の障害を起こす原因になるという問題がある。
【０００４】
本発明は、上記の問題点を解決するためになされたもので、紙葉類のくせや姿勢等によらず、紙葉類を一つの側壁部に整列した状態で集積させる紙葉類集積装置を提供することを目的とする。
また、厚さ分布が一様でない紙葉類を集積する際に、集積した紙葉類をほぼ水平に保った状態で集積させる紙葉類集積装置を提供することを目的とする。
【課題を解決するための手段】
【０００５】
本発明は、上記課題を解決するために、紙葉類を集積して収納する収納箱と、該収納箱に紙葉類を搬送する搬送路と、該搬送路により搬送された紙葉類を前記収納箱に放出する放出口とを備えた紙葉類集積装置において、前記放出口を所定の角度で左右方向に傾斜させたことを特徴とする。
また、紙葉類を集積して収納する収納箱と、該収納箱に紙葉類を搬送する搬送路と、該搬送路により搬送された紙葉類を前記収納箱に放出する放出口とを備えた紙葉類集積装置において、前記放出口を所定の角度で左右両方に傾斜を切替え可能にしたことを特徴とする。
【発明の効果】
【０００６】
このように、本発明は、放出部を水平面に対して所定の角度で左右方向に傾けたことにより、集積する紙葉類を一方の側壁部に沿って落下させることができ、この側壁部によって整列させることができるという効果が得られる。
また、放出部を水平面に対して左右両方に傾斜を切替え可能としたことで、紙葉類を集積する側壁部が選定できるため、集積紙葉類の上面が傾かないように集積できるという効果が得られる。
【発明を実施するための最良の形態】
【０００７】
以下に、図面を参照して本発明による紙葉類集積装置の実施例について説明する。
【実施例１】
【０００８】
図１は本発明の実施例１を示す斜視図、図２は正面図である。
図１、図２において、１は紙葉類集積装置である。
２は収納箱であり、この上方に位置する搬入口３側に設けられたフロント板４、これに対向して設けられたリアガイド板５、フロント板４とリアガイド板５の側方に設けられた側面ガイド板６，７および収納箱２の下方に設けられたステージ８からなる筐体であって、紙葉類Ｐを集積して収納する。
【０００９】
リアガイド板５は、収納箱２に放出された紙葉類Ｐの前端を受止め、落下する紙葉類Ｐを案内してその前端をこのリアガイド板５の内面に整列させる。
側面ガイド板６、７は、それぞれの上方の内面が収納箱２の内側に向かって傾斜する斜面６ａ、７ａが形成されており、放出された紙葉類Ｐの側端を案内して幅寄せを行うようにしてある。
【００１０】
ステージ８は、放出された紙葉類Ｐがその上に集積され、紙葉類Ｐの集積枚数に応じて、図示しないバネ部材や昇降機構等により上下動可能に構成される。
９はフィードローラであり、収納箱２の近傍で搬入口３の外側に設けられ、図示しない駆動機構により回転駆動される。
１０はピンチローラであり、フィードローラ９に対向して配置され、図示しないバネ部材によりフィードローラ９を押圧してフィードローラ９に従動し、フィードローラ９との間に紙葉類Ｐを挟持して搬送する。
【００１１】
１１は搬送ローラであり、フィードローラ９の搬送方向上流側に配置された一対のローラであって、上流側から搬送された紙葉類Ｐを挟持して搬送し、下流側のフィードローラ９とピンチローラ１０に受け渡す。
１２は一対の搬送ガイドであり、一対の搬送ローラ１１および、放出ローラとしてのフィードローラ９とピンチローラ１０に挟持されて搬送される紙葉類Ｐを案内する。
【００１２】
上記のフィードローラ９とピンチローラ１０と搬送ローラ１１および一対の搬送ガイド１２により搬送路１３が構成され、この搬送路１３により紙葉類Ｐが収納箱２へ搬送される。
１４は放出口であり、搬送路１３の最下流に位置する一対の搬送ガイド１２の開口部であって、収納箱２の搬入口３に配置され、フィードローラ９とピンチローラ１０に挟持されて搬送された紙葉類Ｐを収納箱２へ放出する。
【００１３】
上記の放出口１４およびフィードローラ９とピンチローラ１０とにより放出部１５が構成され、放出部１５は図２に示すよう水平面に対して所定の角度で一方の側壁部の方向に傾斜するように設置されている。
本実施例では、放出部１５を所定の傾きとするために搬送路１３の全体が所定の角度で傾斜するように設置されている。これにより放出口１４が所定の角度で一方の側壁部の方向に傾斜するように設置される。
【００１４】
上述した構成の作用について説明する。
搬送路１３の上流から搬送された紙葉類Ｐは、搬送ローラ１１に挟持されて搬送ガイド１２にその上下方向を案内されながら更に搬送される。
そして、紙葉類Ｐの前端がフィードローラ９とピンチローラ１０に挟持されると、その後端が搬送ローラ１１から離れ、紙葉類Ｐはフィードローラ９とピンチローラ１０に挟持、搬送されて放出口１４から収納箱２の内部へ放出される。
【００１５】
収納箱２へ放出された紙葉類Ｐは、その前端がリアガイド板５に衝突して搬送方向の動きを停止し、リアガイド板５に沿って落下を開始する。
この時、図２に示すように放出部１５が水平面に対して所定の角度の傾きを持っているので、放出口１４から放出された紙葉類Ｐは上記のように、傾きを持った状態で放出され、図３〜図５のような動きを示す。
【００１６】
すなわち、紙葉類Ｐは図３に示すように重力に引かれて落下する際に、空気の抵抗によって図３に示す矢印Ａ方向へ滑りながら落下し、その側端が図４に示すように側面ガイド板７に衝突してその滑りを停止し、図５に示すようにその側端を側面ガイド板７に案内されてステージ８上に落下し、側端を側面ガイド板７の内面すなわち収納箱２の一方の側壁部に整列した状態でステージ８に集積される。
【００１７】
以上説明したように、本実施例では、放出部を水平面に対して左右方向に傾斜させ、紙葉類を傾けて放出するようにしたことによって、ステージ上に集積される紙葉類を一方の側壁部に整列させて集積することができる。
【実施例２】
【００１８】
図６は本発明の実施例２を示す斜視図である。
なお、上記実施例１と同様の部分は、同一の符号を付してその説明を省略する。
図６において、２１は放出部であり、上記実施例１と同様にフィードローラ９、ピンチローラ１０、放出口１４により構成され、フィードローラ９、ピンチローラ１０により搬送される紙葉類Ｐの上下を案内するための一対の最終搬送ガイド板２２が設けられており、図示しないアクチュエータによって、放出部２１の搬送方向の中央部を中心として水平方向に対して図６に示すＡ方向もしくはＢ方向の左右両方に所定の角度で傾斜を切替え可能に構成されている。
【００１９】
なお、放出部２１を傾斜させる中心は、上記の放出部２１の中央に限らず、右端や左端であってもよく、それらの中間であってもよい。
また、実施例２の搬送路１３は、放出部２１が傾斜する動作が妨げられないように前部搬送路２３と放出部２１とに分割して設けられる。
なお、前部搬送路２３は、ほぼ水平に形成されている。
【００２０】
上記の構成の作用について説明する。
上記実施例１と同様にして紙葉類Ｐは前部搬送路２３を挟持、搬送され、ほぼ水平状態とされている放出部２１のフィードローラ９とピンチローラ１０へ受け渡される。
この後、放出部２１は図示しないアクチュエータにより所定の角度に傾けられる。
そして、紙葉類Ｐは傾きを持ったまま放出されるが、その紙葉類Ｐの放出後の動きは放出部２１の傾きが前述の図２に示す傾斜であれば、図３〜図５と同様に作用し、その傾きが図２と反対となる時はその動きも反対となる。
【００２１】
このように本実施例では、紙葉類を意図した側壁部に整列させることが可能となり、例えば整列させる側壁部を一枚一枚交互に切替えた場合の紙葉類の集積状態は図７に示すようになる。
このような集積状態は紙葉類としての例えば紙幣の場合、その厚さ分布が一様でなく、凹凸がある紙幣を集積する場合に特に有効である。
【００２２】
すなわち、紙幣の集積を行う現金取扱装置では、一般に紙幣鑑別装置が内蔵されており、紙幣の金種、表裏および方向が鑑別可能である。この鑑別結果により集積する紙幣の厚さ分布を知ることができ、紙幣の厚いところが重ならないように左右の振り分けて集積することが可能となり、集積した紙幣の上面をほぼ水平に保つことができる。
以上説明したように、本実施例では、実施例１の効果に加えて、放出部を左右両方向に傾斜可能としたことによって、紙幣の上面高さの傾きが小さくでき、集積した紙幣を再度分離、搬送する際の、繰出し不良等の分離障害を低減することができる。
【００２３】
また、これにより、紙葉類のサイズに応じて整列する側壁部を切替えることにより、サイズの異なる紙葉類を左右に振り分けて集積することも可能となる。
【実施例３】
【００２４】
図８は本発明の実施例３を示す斜視図である。なお、上記実施例１、実施例２と同様の部分は、同一の符号を付してその説明を省略する。
図８において３１は一対の搬送ガイドであり、搬送路１３の搬送ローラ１１およびフィードローラ９とピンチローラ１０の間はゴムや合成樹脂等の高弾性を有する弾性部材、例えばエラストマ―を用いて製作されており、放出部１５は上記実施例２と同様にアクチュエータにより、傾斜可能としてＡ方向もしくはＢ方向の左右両方に所定の角度で傾けることができるように構成されている。
【００２５】
なお、一対の搬送ガイド３１はその全体を上記の弾性部材により製作するようにしてよい。
上述した構成の作用について説明する。
まず上記実施例１と同様に、収納箱２に集積する紙葉類Ｐは搬送ローラ１１に挟持され、フィードローラ９とピンチローラ１０の方向へ搬送される。この時、放出部１５は図示しないアクチュエータにより傾きを与えられ、弾性部材からなる搬送ガイド３１がフィードローラ９と搬送ローラ１１の間でねじれ、紙葉類Ｐの上下方向を案内して円滑にフィードローラ９とピンチローラ１０に紙葉類Ｐを受け渡し、紙葉類Ｐは放出口１４から傾斜を与えられて放出される。その後の作動は実施例２と同様である。
【００２６】
なお、放出部１５を傾斜させる時期は上記の紙葉類Ｐをフィードローラ９とピンチローラ１０に受け渡す直前に限らず、あらかじめ傾斜させておくようにしてもよい。
以上説明したように、本実施例では、実施例２の効果に加えて、搬送路１３に弾性部材を用いることにより、搬送路は放出部が左右両方向に傾斜したとしても、搬送路はその動きに追従でき、紙葉類を放出部へ円滑に案内でき、複数の紙葉類をさらに短時間で収納箱へ放出できるので紙葉類の処理時間の短縮を図ることができる。
【図面の簡単な説明】
【００２７】
【図１】実施例１を示す斜視図
【図２】実施例１を示す正面図
【図３】実施例１における紙葉類の落下の様子を示す説明図
【図４】実施例１における紙葉類の落下の様子を示す説明図
【図５】実施例１における紙葉類の落下の様子を示す説明図
【図６】実施例２を示す斜視図
【図７】実施例２の集積状態の例を示す正面図
【図８】実施例３を示す斜視図
【符号の説明】
【００２８】
１    紙葉類集積装置
２    収納箱
３    搬入口
４    フロント板
５    リアガイド板
６、７    側面ガイド板
６ａ、７ａ    斜面
８    ステージ
９    フィードローラ
１０  ピンチローラ
１１  搬送ローラ
１２、３１  一対の搬送ガイド
１３  搬送路
１４  放出口
１５、２１  放出部
２２  最終搬送ガイド板
２３  前部搬送路
【図１】
2005112481.tif 000003
【図２】
2005112481.tif 000004
【図３】
2005112481.tif 000005
【図４】
2005112481.tif 000006
【図５】
2005112481.tif 000007
【図６】
2005112481.tif 000008
【図７】
2005112481.tif 000009
【図８】
2005112481.tif 000010